(57)【要約】【課題】美的外観に優れ、周囲が比較的暗い状況であっても展示物を鮮明に見せることが可能なフォトフレームを提供することを目的とする。【解決手段】展示物の端部を係合して支持するための額外枠と、額外枠と結合され且つ展示物の額外枠外部への脱落を防止する透明板を係合して支持するための額縁と、展示物を照射するためのＬＥＤを１個又は複数個用いたＬＥＤ発光部とを備え、ＬＥＤからの光の照射角度範囲が１１０°〜１３０°であり、額縁の開口窓内周縁を含む平面上におけるＬＥＤ発光部による光の照射面積が開口窓の開口面積に対して８０％〜１００％となり、且つ平面上における平均照度に対して１．５倍以上の照度となる領域の面積が開口窓の開口面積に対して５０％以内となるようにＬＥＤが配設され、ＬＥＤ発光部を点灯させるための電源として乾電池又は二次電池を用いることを特徴とするフォトフレームを採用した。【選択図】図３
2013111455.tif 000002
【特許請求の範囲】
【請求項１】
写真等の展示物を飾るためのフォトフレームにおいて、
当該フォトフレームは、当該展示物の端部を係合して支持するための額外枠と、
当該額外枠と結合され且つ当該展示物の額外枠外部への脱落を防止する透明板を係合して支持するための額縁と、
当該展示物を照射するためのＬＥＤを１個又は複数個用いたＬＥＤ発光部とを備え、
当該ＬＥＤからの光の照射角度範囲が１１０°〜１３０°であり、
当該額縁の開口窓内周縁を含む平面上における当該ＬＥＤ発光部による光の照射面積が当該開口窓の開口面積に対して８０％〜１００％となり、且つ当該平面上における平均照度に対して１．５倍以上の照度となる領域の面積が当該開口窓の開口面積に対して５０％以内となるようにＬＥＤが配設され、
当該ＬＥＤ発光部を点灯させるための電源として乾電池又は二次電池を用いることを特徴とするフォトフレーム。
【請求項２】
前記フォトフレームは、人感センサーを更に備え、当該人感センサーにより人の近接が検知された場合に前記ＬＥＤ発光部が点灯する請求項１に記載のフォトフレーム。
【請求項３】
前記フォトフレームは、照度センサーを更に備え、当該照度センサーにより当該フォトフレームの周囲の照度が予め設定された値を超えない場合に前記ＬＥＤ発光部が点灯する請求項１又は請求項２に記載のフォトフレーム。
【請求項４】
前記フォトフレームは、タイマー手段を更に備え、当該タイマー手段により当該ＬＥＤ発光部の点灯時から予め設定された時間内には当該ＬＥＤ発光部の消灯がされない請求項１〜請求項３のいずれかに記載のフォトフレーム。
【請求項５】
前記フォトフレームは、
前記額縁及び／又は額外枠がアルミニウム合金製であり、アルマイト加工が施される請求項１〜請求項４のいずれかに記載のフォトフレーム。
【請求項６】
前記額縁は、その前面が当該額縁外周側から前記フォトフレームの中央に向かうに従って当該額縁の後面側に向かうように傾斜する請求項５に記載のフォトフレーム。
【発明の詳細な説明】
【技術分野】
【０００１】  本件発明は、写真等の展示物を飾るためのフォトフレームに関し、特に周囲が比較的暗い状況であっても展示物を鮮明に見せることが可能なフォトフレームに関する。
【背景技術】
【０００２】  従来より、写真等の展示物を飾るに際して、写真を見るための開口窓を有する表側の板と裏側の板との間に写真を挟持する構造のフォトフレームが主流となっており、このような構造のフォトフレームを卓上に載置したり、壁に架けたりするのが一般的である。ところが、このような従来のフォトフレームは、周囲が比較的暗い状況におかれると、当該フォトフレーム内の展示物が見え難くなってしまうという欠点があった。【０００３】  上述の問題を解消するために、例えば、特許文献１には、額縁の内側に作品照明用のＬＥＤを外部から見えないように並べて作品を照らすライトインフレームが開示されている。具体的には、特許文献１は、発光ダイオード（ＬＥＤ）の照射角度を一個毎に自由に調節出来るように組み立てた照明装置を前面から見えない位置に取り付けた箱型額縁を採用したものである。
【先行技術文献】
【特許文献】
【０００４】
【特許文献１】実用新案登録第３１３９９７９号
【発明の概要】
【発明が解決しようとする課題】
【０００５】  しかしながら、特許文献１のライトインフレームは、用いるＬＥＤの輝度や照射角度に関する条件の開示が一切なされていない。ちなみに、当該ライトインフレーム内の作品をＬＥＤにより照射しても、作品の持つ表現力を損なわずに作品全体を鮮明に照らす設計がなされていなければ、夜間等の暗闇において用いた場合に鑑賞に堪えないものとなる。特許文献１のライトインフレームは、作品を明るく照らすことのみを重視しているため、夜間等の暗闇において用いた場合に作品の持つ表現力が損なわれる恐れがある。また、特許文献１のライトインフレームは、備わるＬＥＤの電力消費量に関して従来の白熱球や蛍光ランプを用いた場合を比較対象としているため、電源に商用電源を用いることを想定していると考えられる。仮に、ＬＥＤを点灯させるにあたって商用電源の電力を用いる場合、フレームの設置場所は、コンセントから近いところに限定されてしまい、また、プラグコードが露出してしまうため美観を損ねてしまうこととなる。【０００６】  以上のことから、本件発明は、美的外観に優れ、周囲が比較的暗い状況であっても展示物を鮮明に見せることが可能なフォトフレームを提供することを目的とする。
【課題を解決するための手段】
【０００７】  そこで、本件発明者等は、鋭意研究を行った結果、以下のフォトフレームを採用することで上記目的を達成するに到った。【０００８】  本件発明に係るフォトフレームは、写真等の展示物を飾るためのフォトフレームにおいて、当該フォトフレームは、当該展示物の端部を係合して支持するための額外枠と、当該額外枠と結合され且つ当該展示物の額外枠外部への脱落を防止する透明板を係合して支持するための額縁と、当該展示物を照射するためのＬＥＤを１個又は複数個用いたＬＥＤ発光部とを備え、当該ＬＥＤからの光の照射角度範囲が１１０°〜１３０°であり、当該額縁の開口窓内周縁を含む平面上における当該ＬＥＤ発光部による光の照射面積が当該開口窓の開口面積に対して８０％〜１００％となり、且つ当該平面上における平均照度に対して１．５倍以上の照度となる領域の面積が当該開口窓の開口面積に対して５０％以内となるようにＬＥＤが配設され、当該ＬＥＤ発光部を点灯させるための電源として乾電池又は二次電池を用いることを特徴とする。【０００９】  本件発明に係るフォトフレームにおいて、前記フォトフレームは、人感センサーを更に備え、当該人感センサーにより人の近接が検知された場合に前記ＬＥＤ発光部が点灯することが好ましい。【００１０】  本件発明に係るフォトフレームにおいて、前記フォトフレームは、照度センサーを更に備え、当該照度センサーにより当該フォトフレームの周囲の照度が予め設定された値を超えない場合に前記ＬＥＤ発光部が点灯することが好ましい。【００１１】  本件発明に係るフォトフレームにおいて、前記フォトフレームは、タイマー手段を更に備え、当該タイマー手段により当該ＬＥＤ発光部の点灯時から予め設定された時間内には当該ＬＥＤ発光部の消灯がされないことが好ましい。【００１２】  本件発明に係るフォトフレームにおいて、前記フォトフレームは、前記展示物の端部を係合して支持するための額外枠と、当該額外枠と結合され且つ当該展示物の額外枠外部への脱落を防止する透明板を係合して支持するための額縁とを備え、当該額縁及び／又は額外枠がアルミニウム合金製であり、アルマイト加工が施されることが好ましい。【００１３】  本件発明に係るフォトフレームにおいて、前記額縁は、その前面が当該額縁外周側から前記フォトフレームの中央に向かうに従って当該額縁の後面側に向かうように傾斜することが好ましい。
【発明の効果】
【００１４】  本件発明に係るフォトフレームによれば、設置の際にプラグコードが露出してしまうこと等によって美観を損ねることがなく、周囲が比較的暗い状況であっても展示物を鮮明に見せることが可能である。また、本件発明に係るフォトフレームによれば、電源に乾電池又は二次電池を用いることで展示物を飾る位置に制約を受けることがなく、また、乾電池又は二次電池を用いるにもかかわらず長時間照明機能を維持することが出来る。
【図面の簡単な説明】
【００１５】
【図１】本件発明に係るフォトフレームを壁掛け用として用いた状態を説明するために例示した図である。
【図２】本件発明に係るフォトフレームを自立させた状態を説明するために例示した図である。
【図３】本件発明に係るフォトフレームにおけるＬＥＤ発光部による光の照射範囲を説明するために例示した図である。
【図４】図３のフォトフレームのＢ−Ｂ線で切断した断面図である。
【図５】図１のフォトフレームのＡ−Ａ線で切断した一の実施形態による断面図である。
【図６】図１のフォトフレームのＡ−Ａ線で切断した別の実施形態による断面図である。
【図７】本件発明に係るフォトフレームを照明器具として用いた状態を説明するために例示した図であり、（ａ）はＣ−Ｃ線で切断した断面図である。
【発明を実施するための形態】
【００１６】  以下、本件発明に係るフォトフレームの好ましい実施の形態を説明する。本件発明に係るフォトフレームは、写真等の展示物を飾るためのフォトフレームにおいて、当該フォトフレームは、当該展示物の端部を係合して支持するための額外枠と、当該額外枠と結合され且つ当該展示物の額外枠外部への脱落を防止する透明板を係合して支持するための額縁と、当該展示物を照射するためのＬＥＤを１個又は複数個用いたＬＥＤ発光部とを備えたものである。
【００１７】  図１は、本件発明に係るフォトフレームを壁掛け用として用いた状態を説明するために例示した図である。また、図２は、本件発明に係るフォトフレームを自立させた状態を説明するために例示した図である。図１に示すように、本件発明に係るフォトフレーム１は、例えば壁２０に打ち付けた釘等に当該フォトフレームの額縁３又は額外枠４に接続した紐等を用いて吊すことで壁掛け用として用いることが出来る。また、図２に示すように、本件発明に係るフォトフレーム１は、額縁３と額外枠４とからなる外形状を自立可能な形状にすることが出来るため、卓上や地面等２１に直置きさせることも出来る。
【００１８】  そして、本件発明に係るフォトフレームは、備わるＬＥＤからの光の照射角度範囲が１１０°〜１３０°であり、また、備わる額縁の開口窓内周縁を含む平面上における当該ＬＥＤ発光部による光の照射範囲の面積が当該開口窓の開口面積範囲に対して８０％〜１００％であり、且つＬＥＤを複数用いた場合であって当該平面上における重複した照射範囲のうちＬＥＤ１個による照射範囲の平均照度に対して１．５倍以上の照度となる範囲面積が当該開口窓の開口面積に対して５０％未満であることを特徴とするものである。
【００１９】  図３は、本件発明に係るフォトフレームにおけるＬＥＤ発光部による光の照射範囲を説明するために例示した図である。また、図４は、図３のフォトフレームのＢ−Ｂ線で切断した断面図である。本件発明に係るフォトフレーム１は、ＬＥＤ５からの光の照射角度θ（図４参照のこと。）が１１０°〜１３０°に設定される。仮に、当該ＬＥＤ５からの光の照射角度θが１１０°未満となればフォトフレーム１に用いるＬＥＤ５の数量が増加するため、電力消費量の増大や製造コストの増加を招いてしまう。また、当該ＬＥＤ５からの光の照射角度θが１３０°を超えると、夜間等の暗闇においてフォトフレーム１に展示される展示物を鮮明に見せることが困難となる。なお、図４には、ＬＥＤ照明基板１０上に設置されるＬＥＤ５からの光を、バックライトフィルムを介して写真等の光透過物の背面から照射する構造が示されている。なお、図４に示すフォトフレームにおいて、写真等の展示物が示されていないが、当該展示物は、額縁３の最も前面側に配される透明板（ガラス板又はアクリル板等）の内面側スペースに展示されることとなる。本件発明に係るフォトフレーム１は、このような構造とすることで、展示物を塵や埃といった外的要因から適切に保護することが可能となる。
【００２０】  また、図３に示すように、本件発明に係るフォトフレーム１は、額縁３の開口窓２内周縁を含む平面上におけるＬＥＤ発光部（フォトフレーム１に用いられるＬＥＤ５の総数であり、図３に示すフォトフレーム１の場合は、１６個のＬＥＤ５により構成される。）による光の照射領域５ａの面積が当該開口窓２の開口面積に対して８０％〜１００％となり、且つ当該平面上における平均照度に対して１．５倍以上の照度となる領域の面積が当該開口窓２の開口面積に対して５０％以内となるようにＬＥＤ５が配設される。本件発明に係るフォトフレーム１は、当該ＬＥＤ発光部を点灯させた場合に、額縁３の開口窓２内周縁を含む平面上における光の照射面積率及び照度分布に関して上述した条件を満足することで、フォトフレーム１に展示する展示物に対し適当な明るさで光を照射することが可能となると共に、用いるＬＥＤ５の数も過剰とならず電力消費量を抑制することが出来る。また、図３に示すように、ＬＥＤ照明基板１０の表面に高反射率塗膜１１を備えることで、展示物７がより鮮明に見えるようになる。すなわち、本件発明に係るフォトフレーム１は、用いるＬＥＤ５に関して上述した条件を満たす限り、搭載する数や光源サイズについて制約を受けることなく任意に設定することが出来る。なお、上述した条件の確認は、ＬＥＤ５からの光が光拡散透過板９等の部材に照射されない状況の下行われることが望ましい。
【００２１】  ちなみに、本件発明に係るフォトフレーム１に用いるＬＥＤ５は、赤色と緑色と青色の発光波長の異なるものを用いることも出来、これら３種類の色のＬＥＤを組み合わせることで、広範囲な色彩調整が可能となる。また、図３に示すように、本件発明に係るフォトフレーム１は、ＬＥＤ５の明るさを調整可能な調光スイッチ１７を額外枠４の外側に設けたり、電源のＯＮ／ＯＦＦを行うスイッチ１８を引き紐により行うようにすることが出来る。
【００２２】  また、本件発明に係るフォトフレーム１は、ＬＥＤ発光部を点灯させるための電源として乾電池又は二次電池を用いるものである。
【００２３】  図３には、本件発明に係るフォトフレーム１が、ＬＥＤ発光部を点灯させるための電源となる乾電池（又は二次電池）６を備えているのが示されている。本件発明の電源は、汎用性に優れる乾電池や、二次電池として例えば充電式アルカリ電池やリチウムイオンバッテリ等を用いることが出来る。本件発明に係るフォトフレーム１は、電源として乾電池（又は二次電池）６を使用することにより、外部電源から切り離された状態で使用することが出来る。また、本件発明に係るフォトフレーム１は、電源として二次電池を用いた場合において、額縁３や額外枠４等の上面に適当な受光面を有するソーラーパネル（不図示）を設置することで、日照時に二次電池を充電し、日没時に放電して、ＬＥＤ５を自動的に点灯する様に構成することも出来、この場合にはより長時間照明機能を発揮することが可能となる。
【００２４】  ちなみに、ＬＥＤは、通常の照明に使用される白熱電球、蛍光ランプ、メタルハイドランプ等と比較して光束が小さいため、これらに比べて用いる数が多くなってしまう。しかし、本件発明に係るフォトフレーム１は、光源をＬＥＤ５とするものであるものの、上述の条件を満たすことで例え乾電池を用いた場合であっても、実用上支障とならない期間照明機能を発揮することが出来る。
【００２５】  また、本件発明に係るフォトフレームは、人感センサーを更に備え、当該人感センサーにより人の近接が検知された場合にＬＥＤ発光部が点灯することが好ましい。
【００２６】  図５は、図１のフォトフレームのＡ−Ａ線で切断した一の実施形態による断面図である。図５に示すように、本件発明に係るフォトフレーム１は、人感センサー１５を例えば額縁３に取り付けることが出来る。本件発明に係るフォトフレーム１は、移動体から発生する赤外線を検知する赤外線センサ、光を出射してその反射光により移動体を検知する光センサ、また、超音波を発生してその反射波により移動体を検知する超音波センサ等を用いて、人の近接及び離反を検知することが可能となる。例えば、本件発明に係るフォトフレーム１は、人検知用の回路を更に備えて、フォトフレーム１の近傍の人体から出る熱放射に反応する赤外線人感センサーの信号によって、所定の感度（人からの熱放射）以上を感知した際に、人検知用の回路をＯＮにして照明電源６を通電してＬＥＤ発光部を点灯する構成にすることが出来る。なお、本件発明に係るフォトフレーム１は、人感センサー１５の精度を上げるために上述した赤外線センサー等を複数組み合わせて用いることも出来る。また、図５には、人感センサー１５が額縁下方に設けられているが、本件発明に係るフォトフレーム１はこれに限定されるものではない。
【００２７】  本件発明に係るフォトフレーム１は、人感センサー１５を更に備えることで、例えば病院の病室等で夜間の消灯時に、患者がベッドから降りて用を足すにあたって近傍の照明のスイッチを探し出して操作して点灯させる煩わしさから解放されることになる。特に、入院患者は、気持ちを安定させるために写真や絵等を病室に飾ることが多いため、本件発明に係るフォトフレーム１を近くに配置しても邪魔にならない。本件発明に係るフォトフレーム１は、プラグコードがなく自立することも可能であるため、仮に地面に設置してもプラグコードが足に絡まることがなく、フットライトとして用いることも出来る。
【００２８】  なお、図３〜図５に示すフォトフレーム１は、光が透過可能な写真等を展示物７として展示した場合に、当該展示物の背面側からＬＥＤ５による光を照射させることで、当該展示物７を鮮明に見せる構造を示したものであるが、本件発明に係るフォトフレーム１はこれに限定されるものではない。図６は、図１のフォトフレームのＡ−Ａ線で切断した別の実施形態による断面図である。例えば、図５に示したフォトフレーム１は、額縁３の前面側に配される透明板（ガラス板やアクリル板等）８とバックライトフィルム１２に隣接した透明板（ガラス板やアクリル板等）８との間の空間に写真等の展示物が展示される構造である。これに対して、図６に示すフォトフレーム２１は、額外枠２４上に写真等の展示物２７が載置固定され、当該展示物２７が、額縁２３に固定される例えばガラス製又はアクリル製からなる透明板２８を介して見ることが出来る構造が示されている。図６に示すフォトフレーム２１の場合であっても、額縁２３の開口窓２２内周縁を含む平面上における光の照射面積率及び照度分布に関して図５に示す構造のフォトフレーム１と同じ条件を満足することで、展示物２７を鮮明に見せることが可能となる。また、図６に示す形態のフォトフレーム２１についても、当該条件を満たす限り、搭載する数や光源サイズについて制約を受けることなく任意に設定することが出来る。
【００２９】  図６に示すフォトフレーム２１は、ＬＥＤ照明基板３０上のＬＥＤ２５からの光が光拡散透過板２９を介することで、当該展示物２７の表面全体をより均等な明るさで照射することが可能となる。この点に関しては、図５に示すフォトフレーム１も同様であり、光拡散透過板９を備えることで、展示物７全体をより均等な明るさで照らすことが出来、作品本来の表現を損なうことがない。なお、図６に示すフォトフレーム２１は、展示物２７の表面に対して直接ＬＥＤ２５の光を照射させる点で図５に示すフォトフレーム１とは異なり、当該展示物２７が光を透過しない材質である場合であっても好適に用いることが出来る。また、図６に示すフォトフレーム２１は、額縁２３の開口窓２２内周縁を含む平面上における光の照射面積率及び照度分布に関して図５に示す構造のフォトフレーム１と同じ条件を満足することで、展示物２７が立体物である場合に陰影を残しつつも鮮明に展示物２７を見せることが出来るため、作品本来の表現を損ねることがない。
【００３０】  図６に示すフォトフレーム２１は、用いるＬＥＤ２５を額縁２３の裏面の目に付かない場所に配置することが出来るため、美観を損なうことがない。また、図６に示すフォトフレーム２１は、図３〜図５に示すフォトフレーム１と同様に、人感センサー３５を例えば額縁２３に取り付けることが出来る。図６に示すフォトフレーム２１は、図５に示すフォトフレーム１同様に、人感センサー３５が額縁下方に設けられているが、これに限定されるものではない。
【００３１】  また、本件発明に係るフォトフレームは、照度センサーを更に備え、当該照度センサーにより当該フォトフレームの周囲の照度が予め設定された値を超えない場合にＬＥＤ発光部が点灯することが好ましい。
【００３２】  本件発明に係るフォトフレーム１、２１は、例えば、照度検知用の回路を更に備えて、照度センサーにより照度が所定値を下回ることが検知された場合に、照度検知用の回路をＯＮにして照明電源１６、３６を通電してＬＥＤ発光部を点灯する構成にすることが出来る。なお、図５及び図６には、照度センサー１６、３６が額縁３、２３上方に設けられているが、本件発明に係るフォトフレーム１、２１はこれに限定されるものではない。
【００３３】  本件発明に係るフォトフレーム１、２１は、照度センサー１６、３６を備えることで、特に地震等の災害が発生した場合に効果を発揮することになる。地震等の災害発生時には、停電になり周囲が暗くなると状況の把握が難しくなり、的確な判断、迅速な避難行動を起こすことが困難となる。このような事態が発生した場合を想定して、例えば、プラグをコンセントに常時差し込んでおき、停電になると自動的に点灯し、取り外すことでライトとして持ち運び可能な常備灯（非常灯、保安灯）が存在する。しかしながら、このような常備灯は、設置場所がコンセントのある場所に限られ、また、周囲が明るい昼間等においては邪魔になってしまう。その点、本件発明に係るフォトフレーム１、２１は、電源が乾電池（又は二次電池）６、２６であるため、設置場所が制限されない。また、フォトフレームは、人が通る廊下や室内等の居住空間に飾られるものであるため、停電時に常備灯（非常灯、保安灯）として用いるには好適である。本件発明に係るフォトフレーム１、２１は、展示物７、２７を取り除くことで簡易照明灯としても使用可能であるが、当該フォトフレーム１、２１に取っ手を設けることで更に取り扱い性が向上し、フォトフレーム１、２１を紐等を用いて壁に吊り下げて用いる際には当該紐等を首に吊り下げるようにすれば両手が自由に使えるようになる。
【００３４】  また、本件発明に係るフォトフレームは、タイマー手段を更に備え、当該タイマー手段によりＬＥＤ発光部の点灯時から予め設定された時間内には当該ＬＥＤ発光部の消灯がされないことが好ましい。
【００３５】  また、本件発明に係るフォトフレーム１、２１は、タイマー手段を設けてＬＥＤ発光部の点灯時間をタイマーにより制御することで、ＬＥＤ発光部が短い時間で点灯と消灯を繰り返すことがないため、ＬＥＤ発光部が点灯中しばらくは、人がフォトフレーム１、２１の周囲で簡単な作業を行うことが出来る。本件発明に係るフォトフレーム１、２１は、人感センサー及び／又は照度センサーと、タイマー手段とを併せて用いることで、人がフォトフレーム１、２１内の展示物を閲覧しない状況下において電力消費量を大幅に削減することが出来る。そのため、本件発明に係るフォトフレーム１、２１は、電源として乾電池や二次電池を用いた場合に困難とされる、比較的高輝度のＬＥＤ５、２５を採用することも可能である。
【００３６】  また、本件発明に係るフォトフレームは、額縁及び／又は額外枠がアルミニウム合金製であり、アルマイト加工が施されることが好ましい。
【００３７】  ＬＥＤは光線を発生すると同時に熱エネルギーも発生する。特に、高い輝度を発光することの出来るＬＥＤを使用した場合には、熱エネルギーの発生量も高い傾向となる。従って、本件発明のフォトフレーム１、２１は、この発生する熱エネルギーを効果的に排除する必要がある。仮に、発生した熱エネルギーを効果的に排除することが出来ない場合には、熱エネルギーが徐々に蓄積してＬＥＤとその周辺の温度が急速に上昇し、ＬＥＤに対して悪影響を及ぼしてしまう。このような理由から、本件発明に係るフォトフレーム１、２１に関しては、ＬＥＤ５、２５の発生する熱エネルギーを効果的に排除可能なヒートシンク（ｈｅａｔ  ｓｉｎｋ）機能を備えていることが望ましい。
【００３８】  現在、多くの発熱する電機部品等には、ヒートシンクが取り付けられており、熱の拡散によって温度を下げる試みがなされている。ヒートシンクの性能は、熱抵抗によって表され、熱抵抗が小さいものほど性能が高い。熱抵抗は、ヒートシンクの材質、大きさ、形状等によって決まり、ヒートシンクの性能を上げるために表面積が広くなるような形状にされることが多い。ちなみに、ファンなどをとりつけて強制的に空気の移動量を増やすことで、熱源を冷却させることも可能であるが、騒音や消費電力量の増加等デメリットとなり得る要素が多いため好ましくない。
【００３９】  本件発明に係るフォトフレーム１、２１は、額縁３、２３及び／又は額外枠４、２４がアルミニウム合金製で、アルマイト加工が施されることで放熱効果を得ることが出来る。放熱性に優れる金属の中でも特にアルミニウム合金は、熱伝導率に優れるためヒートシンクとして好適に用いることが出来る。また、アルミニウム製の額縁及び／又は額外枠に対してアルマイト加工を施すことで、その表面に微細孔が形成され、表面状態が変わり輻射率が上がることによって放熱効果を増大させることが可能となる。更に、フォトフレーム１、２１の放熱効果を向上させたい場合には、額縁３、２３及び／又は額外枠４、２４を、空気と接触する面積が大きくなるような形状とすることも出来る。
【００４０】  ちなみに、本件発明に係るフォトフレーム１、２１は、額縁３、２３及び／又は額外枠４、２４をアルミニウム合金製とし、且つアルマイト加工を施すことで、絶縁性が確保されて人がフォトフレーム１、２１に触れても感電する危険性もなく、また、形成される微細孔に染料を浸透させることで様々な色に着色することが出来る。また、アルミニウム合金にアルマイト処理を施すに際し、前処理でブラシ研磨、ナシジ処理、ホーニング加工等を施し、ほぼ完全に艶消し仕上げをした後にアルマイト染色をすることによって、パール調やパステル調の不透明色に近い色調を得ることも出来、微細孔に染料を浸透させた後に封孔処理を施すことで耐久性の高い着色仕上げを得ることが出来る。なお、本件発明に係るフォトフレーム１、２１は、額外枠４、２４のみをアルミニウム製とすることも出来、この場合、額縁３、２３の材質を例えばユーザの好みにや設置する場所に合わせて、色調や木目等を活かした木材とすることも可能である。
【００４１】  また、本件発明に係るフォトフレームにおいて、額縁は、その前面が当該額縁外周側からフォトフレームの中央に向かうに従って当該額縁の後面側に向かうように傾斜することが好ましい。
【００４２】  図７は、本件発明に係るフォトフレームを照明器具として用いた状態を説明するために例示した図であり、図７（ａ）はＣ−Ｃ線で切断した断面図である。本件発明に係るフォトフレーム１、２１は、額縁３、２３の前面が当該額縁外周側からフォトフレーム１、２１の中央に向かうに従って当該額縁３、２３の後面側に向かうように傾斜することで、ＬＥＤ発光部から照射される光が散乱するのを抑制し、光の利用率を向上させて光度が均一な照射スペクトルを形成することが出来るようになる。従って、特に図７に示すようなＬＥＤ５の配置を採用したフォトフレーム１によれば、街路灯等としても用いることが可能となる。なお、上述したように、本件発明に係るフォトフレーム１、２１は、ソーラーパネルと充電可能な二次電池との組合せにより、昼間は充電し、日没と同時に自動的に点灯させることが可能であり、電池交換しなくとも長期間使用出来るため、街路灯としても好適に用いることが出来る。
【００４３】  ＬＥＤは、街路灯として用いる場合において、ＬＥＤ粒の照明角度が小さいために光の照射面の不均一により路面が比較的暗くなるが、本件発明に係るフォトフレーム１のように、額縁３前面を当該額縁３外周側から当該フォトフレーム１中央に向かうに従って当該額縁３の後面側に向かうように傾斜３ａさせることで、当該額縁３が開口窓２から出射された光の出射角度を制御する整光板の役割を果たすこととなる。更に、当該額縁３前面は、高い反射率を備えることで反射板の役割も果たすこととなり、より路面を明るく照らすことが可能となる。なお、本件発明に係るフォトフレーム１、２１を照明器具として用いるに際し、展示物７、２７を取り除く方が好ましいことは言うまでもない。また、当該額縁３、２３前面の傾斜角度や大きさ等は、使用環境等を考慮して自由に設定することが出来る。
【産業上の利用可能性】
【００４４】  本件発明に係るフォトフレームは、構造が簡単であるため安価に製造出来、当該フォトフレーム内の空いた空間を利用して電源となる乾電池等の予備を収容しておくことが可能であるため、展示物観賞用として用いる以外にも災害対策用としても好適に用いることが出来る。また、本件発明に係るフォトフレームは、プラグコードが不要であるため、美観を損ねることがなく、設置場所も自由に選択することが出来る。更に、本件発明に係るフォトフレームは、写真や絵等以外にも額外枠の大きさを変えることで様々な展示物を展示することが出来、簡易照明やフットライト等としても好適に用いることが出来るため、幅広いユーザ層に提供することが出来る。
【符号の説明】
【００４５】１      フォトフレーム
２      開口窓
３      額縁
４      額外枠
５      ＬＥＤ
５ａ    ＬＥＤ照射範囲
６      乾電池
７      絵等の展示物
８      透明板
９      光拡散透過板
１０    ＬＥＤ照明基板
１１    高反射率塗膜
１２    バックライトフィルム
１５    人感センサ
１６    照度センサ
【図１】
2013111455.tif 000003
【図２】
2013111455.tif 000004
【図３】
2013111455.tif 000005
【図４】
2013111455.tif 000006
【図５】
2013111455.tif 000007
【図６】
2013111455.tif 000008
【図７】
2013111455.tif 000009